【事件の表示】
　特願２００４−２０１８０３号「空気調和機」拒絶査定不服審判事件〔平成１８年１月２６日出願公開、特開２００６−２３０２９号〕について、次のとおり審決する。
【結　論】
　本件審判の請求は、成り立たない。
【理　由】
第１　手続の経緯
　本願は、平成１６年７月８日の出願であって、平成２２年１１月５日付けで拒絶査定がなされ、これに対し、平成２３年２月３日に拒絶査定不服審判が請求されると同時に手続補正がされたものである。
　
第２　平成２３年２月３日の手続補正についての補正却下の決定
［補正却下の決定の結論］
　平成２３年２月３日の手続補正（以下「本件補正」という。）を却下する。
［理由］
１．補正後の本願発明
　本件補正により、特許請求の範囲は、「【請求項１】
　本体（１）と、
　上記本体（１）の下部に一端が回動自在に取り付けられていると共に、上記本体（１）に他端が解除可能な係止手段（７）によって係止されたメンテナンスパネル（２）と、
　
一方の端部が上記本体（１）に回動自在に取り付けられ、かつ、他方の端部が上記メンテナンスパネル（２）の上記一端側の端部に回動自在に取り付けられていて、上記メンテナンスパネル（２）の
直動式
　上記メンテナンスパネル（２）に着脱可能に搭載されたフィルタ（４）と、
　上記他端が上記本体（１）から離れるように上記メンテナンスパネル（２）が回動するときに、上記フィルタ（４）が上記メンテナンスパネル（２）から離間しないように、上記フィルタに解除可能に係止するフィルタストッパ（８）と、
　上記フィルタ（４）を搭載する上記メンテナンスパネル（２）の面に設けられ、上記フィルタ（４）の着脱時に上記フィルタ（４）を鉛直方向に案内する案内部（９）と
を備えたことを特徴とする空気調和機。
【請求項２】
　請求項１に記載の空気調和機において、
　上記係止手段（７）はワンタッチ操作で係止を解除できることを特徴とする空気調和機。」と補正された。
　上記請求項１に係る補正は、発明を特定するための事項である、ダンパに関し、「
一方の端部が上記本体（１）に回動自在に取り付けられ、かつ、他方の端部が上記メンテナンスパネル（２）の上記一端側の端部に回動自在に取り付けられてい
直動式
　そして、補正後の請求項２も請求項１を引用するものであるから、請求項２についても同様に限定するものである。
　したがって、請求項１及び２に係る補正は、平成１８年法律第５５号改正附則第３条第１項によりなお従前の例によるとされる同法による改正前の特許法第１７条の２第４項第２号の特許請求の範囲の減縮を目的とするものに該当する。
　そこで、本件補正後の前記請求項２に記載された発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
２．引用刊行物
（１）引用刊行物１
　原査定の拒絶の理由に引用され、本願の出願前に頒布された特開平８−９４１１９号公報（以下「引用刊行物１」という。）には、図１〜１０とともに以下の事項が記載されている。
ア．「送風機、熱交換器等を有し、天井内に収納されるユニット本体と、該ユニット本体及び天井開口穴を隠蔽すると共に、中央に吸込口その周囲に吹出口を有する化粧パネル枠体と前記吸込口に設けられ一辺を支点に開閉する吸込グリルとを有する化粧パネルとを備えた天井埋込形空気調和機において、前記吸込グリルの支点辺部と係合する化粧パネル枠体に設けられ、前記吸込グリルの開時に該吸込グリルを落下させる回転トルクを弱めなだらかに該吸込グリルを落下させるトルク調整具と、前記吸込グリルの支点辺部に、化粧パネル枠体に掛止可能な突起状支点部と、前記吸込グリルの支点辺の対辺に係合する化粧パネル枠体に設けられ、該吸込グリルをワンタッチで開閉する吸込グリル開閉手段と、を具備したことを特徴とする天井埋込形空気調和機。」（請求項１１）
イ．「吸込グリルの開閉をワンタッチで簡単にできると共に、従来より天井に対し低い位置でかつ安全にフィルター等のメンテナンスができる天井埋込形空気調和機を提供することを目的とする。」（段落【０００５】）
ウ．「１１は送風装置、熱交換器を備えたユニット本体（図示せず）の下面及び天井開口穴（図示せず）を隠蔽する化粧パネルで、この化粧パネル１１は中央に吸込口１３、その周辺４ヶ所に吹出口１４を配設した化粧パネル枠体１５と、吸込口１３に設けられ開閉可能な吸込グリルより構成されている。１７はダンパー手段であるトルク調整具であり、化粧パネル枠体１５の一部に固定ケース２０により、固着取り付けられている。
　・・・（中略）・・・２１はアームで一端が吸込グリル１６に固定され、他端には長方形状の穴を有し、トルク調整具１７が嵌合取り付けられる。３２は吸込グリル１６の内面に着脱自在に配設されたフィルターである。」（段落【００２８】及び【００２９】）
エ．「２３は突起状支点部で、トルク調整具１７の補助的な支持部として設けられている。図３は図１のＢ−Ｂ線断面図であり、吸込グリル開時の突起状支点部２３を示すものである。図に示すように、突起状支点部２３はアーム２１と同様略コ字状のもので、その一端が吸込グリル１６に固定されており、他端は化粧パネル枠体１５内面に掛止されている。
　ここまでは、トルク調整具１７が設けられた吸込グリル１６の開閉時に支点部となる支点辺側について説明してきたが、次にその対辺側の吸込グリル１６が化粧パネル枠体１５から着脱される部位について説明する。図１において、２４は吸込グリル１６を開放する際に利用される押板で、この押板２４の軸３４はホルダー２６に嵌合保持される。・・・（中略）・・・押板２４の一端には丸棒状の軸３４が形成されていて、ホルダー２６には嵌合保持されると共に、他端側の係合面２８は化粧パネル枠体１５より上方に突出したフランジ２７に載置され、押板２４がこの位置より下方へ回転移動できないようになっている。２９は押板２４の軸３４側の面に設けられた吸込グリル１６をワンタッチで開放するために押し上げる室内に露出した露出面である。３０は上部に押板２４と係合する斜面部３１を形成し、下端が吸込グリル１６に固定された掛止板で、吸込グリル１６が閉じている時は押板２４の係合面２８上に掛止されるように配設されている。」（段落【００３０】及び【００３１】）
オ．「吸込グリル１６を開くには、図８に示すように化粧パネル１１に形成されている化粧パネル枠体１５の貫通穴２５より露出した押板２４の露出面２９を室内から人が棒等の工具により下方から押し上げると、図５に示すように押板２４の係合面２８は軸３４を支点にして上方に回転移動し吸込グリル１６に取り付けられた掛止板３０を押し上げ、所定のストローク以上回転移動すると、掛止板３０は押板２４より外れ、吸込グリル１６は反対辺に取り付けられたトルク調整具１７及び突起状支点部２３を支点とし重量で回転落下をし開状態を開始する。この時、支点として取り付けられているトルク調整具１７が吸込グリル１６の反時計方向の回転モーメントに相反する働きをし、なだらかに回転落下をする。また突起状支点部２３もトルク調整具１７及びアーム２１と同調した働きをし、吸込グリル１６のブレを保護しスムーズな動きとなるようなガイド的役目をする。また、吸込グリル１６を閉めたい時には、吸込グリル１６の任意箇所を押し上げる。すると吸込グリル１６に取り付けられた掛止板３０の斜面部３１が案内となり押板２４の係合面２８を押し上げ、所定のストローク以上押し上げると先に押板２４の係合面２８が化粧パネル枠体１５のフランジ２７の先端まで落下移動し掛止板３０のストッパーの役目をし吸込グリル１６を閉状態に保持するものである。・・・（中略）・・・
　以上のように、この実施例によれば、吸込グリルをワンタッチで開閉できるようにし、しかも開状態に移行する吸込グリルの急激落下を防ぎ、なだらかに回転落下するように構成したので、据付後のフィルター清掃またメンテナンス時グリルの開閉が片手で簡単にできると共に特に開時グリルに手を添える必要がないため脚立上での作業も安全に行える。また、吸込グリル開時フィルターの着脱ができる程度まで手が届けば棒等突起物で吸込グリルの開閉が可能なため脚立が無くても一般の椅子で作業が可能となりフィルター清掃を安全にかつ仕易くするものである。このように現地でのサービス性の向上、簡易化が図れる効果がある。」（段落【００３３】及び【００３４】）
カ．図２及び３には、吸込グリル１６の開時、吸込グリル１６が鉛直になっている様子が図示されている。
　これらの記載事項ア．〜オ．及びカ．の図示内容を総合すると、上記引用刊行物１には、「天井内に収納されるユニット本体の下面を隠蔽すると共に、中央に吸込口１３を有する化粧パネル枠体１５と前記吸込口１３に設けられ一辺を支点に開閉し開時に鉛直となる吸込グリル１６とを有する化粧パネル１１を備え、
　吸込グリル１６の支点辺となる一辺の対辺に係合する化粧パネル枠体１５に設けられ、該吸込グリル１６をワンタッチで開閉する吸込グリル開閉手段と、
　吸込グリル１６の支点辺部と係合する化粧パネル枠体１５に設けられ、吸込グリル１６の開時に該吸込グリル１６を落下させる回転トルクを弱めなだらかに該吸込グリルを落下させるダンパー手段であるトルク調整具１７と、前記吸込グリル１６の支点辺部に、化粧パネル枠体１５に掛止可能な突起状支点部２３と、
　吸込グリル１６の内面に着脱自在に配設されたフィルター３２と、
を具備し、
吸込グリル１６の開閉をワンタッチで簡単にできると共に低い位置でかつ安全にフィルター３２等のメンテナンスができる、天井埋込形空気調和機。」の発明（以下「引用発明」という。）が記載されていると認められる。
（２）引用刊行物２
　同じく引用され、本願の出願前に頒布された特開２００２−５４６９号公報（以下「引用刊行物２」という。）には、図１〜３とともに以下の事項が記載されている。
ア．「送風機の周囲に熱交換コイルを配置した天井内に取り付けられる空気調和機において、送風機の駆動モータとファンランナーとを一体にして蓋体に取り付け、これら蓋体と送風機とを回動自在として熱交換コイルから離すように移動する回動移動手段を設けたことを特徴とする空気調和機」（請求項１）
イ．「天井Aに空気調和機のケーシング１を据え付けるが、・・・（中略）・・・その上下空間のほぼ中央部には上下を隔てる仕切板4を設け、仕切板4の開口部41に蓋体5を揺動開閉自在に設け、この蓋体5の上部には、送風機6を形成するファンランナー61とファンランナー61を駆動するモータ62と吸気案内であるインレットコーン63とを一体的に取り付け、蓋体5の一部には回動支持機構51を設けて、蓋体5は回動支持機構51の支持軸42を中心にして仕切板4に対して回動するように構成される。」（段落【０００６】）
ウ．「この重量物である蓋体5の開閉には、仕切板4と蓋体5との間にシリンダー等のショックアブソーバーを配置して、手が離れても蓋体5が静かに下降する構成にすれば良い。
　[作用]本実施例は上記のような構成であるので、その作用は、清掃・点検の保守作業に際し、インレットコーン63とファンランナー61と駆動モータ62とが下方に一体で吊り下がるから、送風機のファンランナー61、モータ62、および、インレットコーン63の全体を１人でも充分に清掃でき、保守・点検作業が容易に細かな点まで充分にでき・・・（中略）・・・る。」（段落【０００７】及び【０００８】）
　
３．対比・判断
　本願補正発明と引用発明とを対比すると、
後者の「フィルター３２」はその機能からみて、前者の「フィルタ（４）」に相当する。
　また、後者の「吸込グリル１６」は、フィルター３２を「内面に着脱自在に配設」され、かつ「天井内に収納されるユニット本体の下面を隠蔽する」化粧パネル１１の「吸込口１３に設けられ一辺を支点に開閉し、開時に鉛直となる」もので、「吸込グリル１６の開閉をワンタッチで簡単にできると共に低い位置でかつ安全にフィルター３２等のメンテナンスができる」ものであり、本願補正発明もフィルタユニットをメンテナンスするものであるから、その機能からみて、前者の「メンテナンスパネル（２）」に相当し、同じく、後者の「天井内に収納されるユニット本体」及びその「下面を隠蔽する」「化粧パネル１１」の「中央に吸込口１３を有する化粧パネル枠体１５」は、前者の「本体（１）」に相当する。そして、後者の「吸込グリル１６」は、化粧パネル１１が「ユニット本体の下面を隠蔽する」から全体の下部に設けられるものといえるので、前者のメンテナンスパネル（２）と同様に「本体（１）の下部に一端が回動自在に取り付けられている」態様であるといえる。さらに、後者の「吸込グリル１６の内面に着脱自在に配設されたフィルター３２」は前者の「メンテナンスパネル（２）に着脱可能に搭載されたフィルタ（４）」に相当する。
　後者の吸込グリル開閉手段は、「吸込グリル１６の支点辺となる一辺の対辺に係合する化粧パネル枠体１１に設けられ、該吸込グリル１６をワンタッチで開閉する」ものであるから、後者の吸込グリル１６は、前者の「本体（１）に他端が解除可能な係止手段（７）によって係止されたメンテナンスパネル（２）」に相当し、かつ後者の「吸込グリル１６をワンタッチで開閉する吸込グリル開閉手段」は、「ワンタッチ操作で係止を解除できる」「係止手段（７）」に相当する。
　後者の「吸込口１３に設けられ一辺を支点に開閉し、開時に鉛直となる吸込グリル１６」の開の動作時とは、支点辺となる一辺の対辺は下方に移動し、「天井内に収納されるユニット本体」及びその「下面を隠蔽する」「化粧パネル１１」の「化粧パネル枠体１５」から離れるように回動することは自明であるから、前者の「メンテナンスパネル（２）の他端が本体（１）から離れるように回動する」ことに相当する。
　そして、後者の「吸込グリル１６の支点辺部と係合する化粧パネル枠体１５に設けられ、吸込グリル１６の開時に該吸込グリル１６を落下させる回転トルクを弱めなだらかに該吸込グリルを落下させるダンパー手段であるトルク調整具１７」は前者の「メンテナンスパネル（２）の他端が本体（１）から離れるように回動する上記メンテナンスパネル（２）の回動に制動を掛ける」「ダンパ（３）」に相当する。
　そうすると、両者は、「本体（１）と、
　上記本体（１）の下部に一端が回動自在に取り付けられていると共に、上記本体（１）に他端が解除可能な係止手段（７）によって係止されたメンテナンスパネル（２）と、
　上記メンテナンスパネル（２）の上記他端が上記本体（１）から離れるように回動する上記メンテナンスパネル（２）の回動に制動を掛けるダンパ（３）と、
　上記メンテナンスパネル（２）に着脱可能に搭載されたフィルタ（４）と、
を備え、
上記係止手段（７）はワンタッチ操作で係止を解除できる空気調和機。」である点で一致し、以下の点で相違すると認められる。
相違点Ａ：ダンパ（３）について、本願補正発明が「一方の端部が上記本体（１）に回動自在に取り付けられ、かつ、他方の端部が上記メンテナンスパネル（２）の上記一端側の端部に回動自在に取り付けられてい」る「直動式ダンパ（３）」であるのに対し、引用発明は「吸込グリル１６の支点辺部と係合する化粧パネル枠体１５に設けられ」るものの、上記のような直動式ダンパではない点。
相違点Ｂ：フィルタを着脱可能に搭載することについて、本願補正発明が「他端が上記本体（１）から離れるように上記メンテナンスパネル（２）が回動するときに、上記フィルタ（４）が上記メンテナンスパネル（２）から離間しないように、上記フィルタに解除可能に係止するフィルタストッパ（８）」と「フィルタ（４）を搭載する上記メンテナンスパネル（２）の面に設けられ、上記フィルタ（４）の着脱時に上記フィルタ（４）を鉛直方向に案内する案内部（９）」とを備えているのに対し、引用発明はどのように着脱自在に配設するものか不明である点。
　
　そこで、上記相違点について検討する。
（１）相違点Ａについて
　引用刊行物２には、天井内に取り付けられる空気調和機の蓋体5の開閉時、仕切板4と蓋体5との間にシリンダー等のショックアブソーバーを配置して、手が離れても蓋体5が静かに下降することが記載されており、直動式ダンパを用いることが示唆されている。また、直動式ダンパは特開平１０−１８５２３３号公報にも示され当該技術分野において通常用いられるダンパであるともいえる。
　一方、特開平３−１６０２２５号公報や特開平３−１７４３４号公報等に示されるように、本体と扉を接続するシリンダとロッドを用いる直動式のようなダンパにおいて、見栄えを良く、出し入れ等の作業の邪魔にならないように、その扉側への配設位置について、支点近傍に設けることは、従来より周知である。
　そうすると、引用発明のダンパー手段であるトルク調整具１７として、上記周知の、扉の支点近傍と本体とを接続するシリンダとロッドを用いる直動式のダンパを用いて、吸込グリル１６の支点辺となる一辺近傍と化粧パネル枠体１１等の本体とに直動式ダンパを取り付けることは、引用刊行物２等にも直動式ダンパを用いることが示唆されていることから、当業者が適宜なし得たことといえる。
　なお、引用発明のダンパ手段や特開２０００−２４０９６７号公報に示されるダンパは、支軸近傍に設けられる、小型で見栄え良く作業の邪魔にならないロータリダンパともいえ、かつ、本願の明細書にはメンテナンスパネル（２）の上記一端側の端部に取り付けることについての効果は記載されていない。
　そして、扉と本体に直動式ダンパを取り付けるに際し、直動式ダンパの両端を回動自在に取り付けることも、例えば、上記特開平１０−１８５２３３号公報や特開２００１−８７４７号公報等にも示されるように直動式ダンパの取り付けとして従来より周知のことであるから、当業者が格別の困難性を要することなく適宜なし得た設計的事項にすぎない。
　なお、上記特開２００１−８７４７号公報では支点の作用部分とは反対側に取り付けることも示されている。
　そうすると、相違点Ａに係る本願補正発明の構成とすることは当業者が容易になし得たことといえ、そのことによる格別の効果もない。
　
（２）相違点Ｂについて
　フィルタを着脱可能に搭載する手段として、フィルタを保持する部材が下方に回動するとき、フィルタを下方に案内する溝や枠の案内部を設けたり、不意に落下することを防止するべく、溝の端部を工夫したりストッパを設けることは、特開２００１−２０１０８８号公報や特開昭６３−１９４１４０号公報等に示されていて周知である。
　したがって、引用発明のフィルター３２を吸込グリル１６の内面に着脱自在に配設する具体的方法として、上記周知の手段を用い、開時にフィルタを取り出すべく、下方に案内する溝や枠の案内部を、開時に鉛直となる吸込グリル１６の内面に設け、また、不意に落下することを防止するべく、ストッパを設けて、相違点Ｂに係る本願補正発明の構成とすることは、当業者が容易になし得たことであり、そのことによる格別の効果もない。
　
（３）まとめ
　以上のようであるから、本願補正発明は、引用発明、引用刊行物２に記載の事項及び上記周知の事項に基づいて当業者が容易に発明をすることができたものであり、相違点Ａ及びＢを合わせ考えても、その効果が格別とはいえない。
　
４．むすび
　上記したように、本願補正発明は、引用発明、引用刊行物２に記載の事項及び上記周知の事項に基づいて当業者が容易に発明をすることができたものであるから、特許法第２９条第２項の規定により特許出願の際独立して特許を受けることができない。
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
　本件補正は上記のとおり却下されたので、本願の請求項１及び２に係る発明（以下、請求項２に係る発明を「本願発明」という。）は、平成２２年６月１４日付けで手続補正された特許請求の範囲の請求項１及び２に記載された事項により特定される、以下のとおりのものである。
「【請求項１】
　本体（１）と、
　上記本体（１）の下部に一端が回動自在に取り付けられていると共に、上記本体（１）に他端が解除可能な係止手段（７）によって係止されたメンテナンスパネル（２）と、
　上記他端が上記本体（１）から離れるように回動する上記メンテナンスパネル（２）の回動に制動を掛けるダンパ（３）と、
　上記メンテナンスパネル（２）に着脱可能に搭載されたフィルタ（４）と、
　上記他端が上記本体（１）から離れるように上記メンテナンスパネル（２）が回動するときに、上記フィルタ（４）が上記メンテナンスパネル（２）から離間しないように、上記フィルタに解除可能に係止するフィルタストッパ（８）と、
　上記フィルタ（４）を搭載する上記メンテナンスパネル（２）の面に設けられ、上記フィルタ（４）の着脱時に上記フィルタ（４）を鉛直方向に案内する案内部（９）と
を備えたことを特徴とする空気調和機。
【請求項２】
　請求項１に記載の空気調和機において、
　上記係止手段（７）はワンタッチ操作で係止を解除できることを特徴とする空気調和機。」
　
１．引用刊行物
　原査定の拒絶の理由に引用された刊行物の記載事項は、前記「第２の２．」に記載したとおりである。
　
２．対比・判断
　本願発明は、前記「第２の１．」で検討した本願補正発明を特定するための事項である、ダンパに関し、「
一方の端部が上記本体（１）に回動自在に取り付けられ、かつ、他方の端部が上記メンテナンスパネル（２）の上記一端側の端部に回動自在に取り付けられてい
直動式
　そうすると、本願発明の発明特定事項をすべて含み、さらに、他の発明特定事項を付加したものに相当する本願補正発明が、前記「第２の３．」に記載したとおり、引用発明、引用刊行物２に記載の事項及び上記周知の事項に基づいて、当業者が容易に発明をすることができたものであるから、本願発明も、同様に、引用発明、引用刊行物２に記載の事項及び上記周知の事項に基づいて、当業者が容易に発明をすることができたものである。
　
３．むすび
　以上のとおり、本願発明は、引用発明、引用刊行物２に記載の事項及び上記周知の事項に基づいて、当業者が容易に発明をすることができたものであるから、特許法第２９条第２項の規定により特許を受けることができない。そうすると、本願の他の請求項に係る発明について検討するまでもなく、本願は拒絶されるべきものである。
　よって、結論のとおり審決する。